(57)【要約】【課題】電池パックから安定的に電流を取り出す。【解決手段】電池と、電池を収容した外装ケース１０と、電池の電極と電気的に接続された内部接続部材であるバスバー１１と、バスバー１１と導通し、外装ケース１０の外側に突出した棒状の出力端子１２Ａと、バスバー１１と面接触し、内側に設けられている孔を棒状の出力端子１２Ａが貫通した状態で配置されている導電性のリング部材１３と、リング部材１３と面接触し、少なくとも一部が外装ケース１０の外側に露出した状態で棒状の出力端子１２Ａに締結された導電性の締結部材である第１ナット１４とを備える。出力端子１２Ａの延伸方向における第１ナット１４の外側表面は、電池から電流を取り出すための外部接続部材が出力端子１２Ａに取り付けられた際に、当該外部接続部材と当接する面である。また、リング部材１３および第１ナット１４の抵抗は、出力端子１２Ａの抵抗以下である。【選択図】図２
2018010798.tif 000002
【特許請求の範囲】
【請求項１】
電池と、
前記電池を収容した外装ケースと、
前記電池の電極と電気的に接続された内部接続部材と、
前記内部接続部材と導通し、前記外装ケースの外側に突出した棒状の出力端子と、
前記内部接続部材と面接触し、内側に設けられている孔を前記棒状の出力端子が貫通した状態で配置されている導電性のリング部材と、
前記リング部材と面接触し、少なくとも一部が前記外装ケースの外側に露出した状態で前記棒状の出力端子に締結された導電性の締結部材と、
を備え、
前記出力端子の延伸方向における前記締結部材の外側表面は、前記電池から電流を取り出すための外部接続部材が前記出力端子に取り付けられた際に、当該外部接続部材と当接する面であり、
前記リング部材および前記締結部材の抵抗は、前記出力端子の抵抗以下であることを特徴とする電池パック。
【請求項２】
前記出力端子は、ねじ山を有するボルトであり、
前記締結部材は、前記ボルトに締結されたナットであり、
前記リング部材は、前記内部接続部材と前記ナットとの間に挟まれていることを特徴とする請求項１に記載の電池パック。
【請求項３】
前記リング部材の外周面に密着し、前記内部接続部材と前記外装ケースとの間に挟まれた弾性体リングをさらに備えることを特徴とする請求項１または２に記載の電池パック。
【請求項４】
前記出力端子の延伸方向における前記締結部材の外側表面には、前記外部接続部材が前記出力端子に取り付けられる際に回転することを抑制するための回転抑制部が設けられていることを特徴とする請求項１〜３のいずれかに記載の電池パック。
【請求項５】
前記リング部材および前記締結部材は、銅、アルミニウム、および、銅とアルミニウムの合金のうちのいずれかを用いて形成されていることを特徴とする請求項１〜４のいずれかに記載の電池パック。
【請求項６】
前記リング部材および前記締結部材が一体的に形成されていることを特徴とする請求項１〜５のいずれかに記載の電池パック。
【発明の詳細な説明】
【技術分野】
【０００１】
本発明は、電池と電池を収容する外装ケースとを備えた電池パックに関する。
【背景技術】
【０００２】
従来から、電池を外装ケースに収容した電池パックは、バックアップ電源などの用途に広く用いられている。
【０００３】
特許文献１には、電池の出力端子である棒状の端子ボルトが外装ケースの外側に突出した電池パックが記載されている。この電池パックでは、電流を外部に取り出すための外部接続部材、例えば、リード線が接続された圧着端子が端子ボルトに取り付けられ、その上からナットが端子ボルトに締結されることによって、リード線が電池と電気的に接続され、リード線を介して電池の電流を取り出すことができる。
【先行技術文献】
【特許文献】
【０００４】
【特許文献１】特開２０１２−１５１０９８号公報
【発明の概要】
【発明が解決しようとする課題】
【０００５】
しかしながら、従来の電池パックでは、圧着端子のような外部接続部材を用いた場合に、圧着端子と端子ボルトとの接触面積が小さいため、場合によっては、導通が不安定になるという問題がある。
【０００６】
本発明は、上記課題を解決するものであり、圧着端子のような外部接続部材を用いて電流を取り出す場合でも、安定的に電流を取り出すことができる電池パックを提供することを目的とする。
【課題を解決するための手段】
【０００７】
本発明の電池パックは、
電池と、
前記電池を収容した外装ケースと、
前記電池の電極と電気的に接続された内部接続部材と、
前記内部接続部材と導通し、前記外装ケースの外側に突出した棒状の出力端子と、
前記内部接続部材と面接触し、内側に設けられている孔を前記棒状の出力端子が貫通した状態で配置されている導電性のリング部材と、
前記リング部材と面接触し、少なくとも一部が前記外装ケースの外側に露出した状態で前記棒状の出力端子に締結された導電性の締結部材と、
を備え、
前記出力端子の延伸方向における前記締結部材の外側表面は、前記電池から電流を取り出すための外部接続部材が前記出力端子に取り付けられた際に、当該外部接続部材と当接する面であり、
前記リング部材および前記締結部材の抵抗は、前記出力端子の抵抗以下であることを特徴とする。
【０００８】
前記出力端子は、ねじ山を有するボルトであり、
前記締結部材は、前記ボルトに締結されたナットであり、
前記リング部材は、前記内部接続部材と前記ナットとの間に挟まれている構成としてもよい。
【０００９】
また、電池パックは、前記リング部材の外周面に密着し、前記内部接続部材と前記外装ケースとの間に挟まれた弾性体リングをさらに備えるようにしてもよい。
【００１０】
また、前記出力端子の延伸方向における前記締結部材の外側表面には、前記外部接続部材が前記出力端子に取り付けられる際に回転することを抑制するための回転抑制部が設けられているようにしてもよい。
【００１１】
前記リング部材および前記締結部材は、銅、アルミニウム、および、銅とアルミニウムの合金のうちのいずれかを用いて形成されていてもよい。
【００１２】
また、前記リング部材および前記締結部材が一体的に形成されていてもよい。
【発明の効果】
【００１３】
本発明によれば、内部接続部材とリング部材との間、リング部材と締結部材との間、および、締結部材と外部接続部材との間は、それぞれ面接触しており、リング部材および締結部材の抵抗は、出力端子の抵抗以下である。このため、電池から電流を取り出す際、電流は、内部接続部材から出力端子を介して外部接続部材に至る電流経路よりも低抵抗である電流経路、すなわち、内部接続部材、リング部材、および締結部材に流れ、さらに、締結部材の外側表面に当接するように取り付けられる外部接続部材に流れる。これにより、低抵抗の電流経路で安定的に電流を取り出すことができる。
【図面の簡単な説明】
【００１４】
【図１】第１の実施形態における電池パックの外観形状を示す斜視図である。
【図２】第１の実施形態における電池パックの出力端子部分を拡大した断面図である。
【図３】第１の実施形態における電池パックの出力端子に、リード線が接続された圧着端子、および第１ナットが取り付けられた状態を示す図である。
【図４】弾性体リングの形状の一例を示す図である。
【図５】第１の実施形態における電池パックの出力端子部分の変形例を示す図である。
【図６】第２の実施形態における電池パックに用いられている多機能ナットの外観形状を示す図である。
【図７】第２の実施形態における電池パックの出力端子部分を拡大した断面図である。
【発明を実施するための形態】
【００１５】
以下に本発明の実施形態を示して、本発明の特徴とするところをさらに具体的に説明する。
【００１６】
＜第１の実施形態＞
図１は、第１の実施形態における電池パック１００の外観形状を示す斜視図である。また、図２は、第１の実施形態における電池パック１００の出力端子部分を拡大した断面図である。
【００１７】
電池パック１００は、電池１と、電池１を収容した外装ケース１０とを備える。電池パック１００はさらに、内部接続部材であるバスバー１１と、出力端子１２Ａおよび１２Ｂと、導電性のリング部材１３と、導電性の第１ナット１４とを備える。
【００１８】
電池１は、例えば、リチウムイオン二次電池である。ただし、電池１がリチウムイオン二次電池に限定されることはなく、別の種類の電池であってもよい。また、電池１は、複数のセルが積層された構造であってもよいし、単セルであってもよい。
【００１９】
図１に示すように、電池１を収容した外装ケース１０からは、正極端子である出力端子１２Ａと、負極端子である出力端子１２Ｂが外側に突出している。
【００２０】
以下では、正極端子である出力端子１２Ａ周辺の構造について説明する。詳しい説明は省略するが、負極端子である出力端子１２Ｂ周辺の構造についても、出力端子１２Ａ周辺の構造と同様である。
【００２１】
バスバー１１は、電池１の電極、ここでは正極と電気的に接続された、導電性を有する内部接続部材である。この実施形態では、バスバー１１は、銅により形成されている。ただし、バスバー１１は、銅以外の材料により形成されていてもよい。バスバー１１には、出力端子１２Ａが貫通するための貫通孔１１ａが設けられている。
【００２２】
出力端子１２Ａは、棒状の形状を有し、外装ケース１０の外側に突出している。出力端子１２Ａは、導電性を有する金属により形成されている。この実施形態では、出力端子１２Ａとして、外周面にねじ山を有するボルトを用いている。
【００２３】
なお、この実施形態では、出力端子１２Ａは、図１に示すように、円柱形状を有するが、形状が円柱に限定されることはない。また、出力端子１２Ａは、ねじ山を有しない構造であってもよい。
【００２４】
出力端子１２Ａは、バスバー１１と当接し、導通している。具体的には、バスバー１１の貫通孔１１ａに、出力端子１２Ａが圧入されている。
【００２５】
なお、出力端子１２Ａは、バスバー１１と一体的に形成されていてもよい。
【００２６】
環状のリング部材１３は、内側に設けられている孔１３ｃに、棒状の出力端子１２Ａが貫通した状態で、バスバー１１と面接触している。この実施形態では、図２に示すように、バスバー１１の上面と、リング部材１３の下面とが面接触している。このリング部材１３は、バスバー１１と、後述する第１ナット１４との間に挟まれている。
【００２７】
なお、この実施形態におけるリング部材１３は、内周面にねじ山が設けられていないが、内周面にねじ山が設けられており、出力端子１２Ａであるボルトに螺合、締結する構造であってもよい。
【００２８】
締結部材である第１ナット１４は、リング部材１３と当接し、少なくとも一部が外装ケース１０の外側に露出した状態で、出力端子１２Ａであるボルトに螺合、締結されている。この実施形態では、図２に示すように、リング部材１３の上面と、第１ナット１４の下面とが面接触している。また、第１ナット１４の上面および外周面が外装ケース１０の外側に露出している。
【００２９】
なお、この実施形態では、締結部材である第１ナット１４は、全体が外装ケース１０の外側に位置しているが、少なくとも一部が外装ケース１０の外側に位置していればよい。すなわち、第１ナット１４の全体が外挿ケース１０の内部に位置していると外部接続部材を当接させて出力端子と導通させることができなくなるが、第１ナット１４の一部、例えば、上端側を外装ケース１０の外側に露出させておくことにより、外部接続部材を当接させて、出力端子と導通させることが可能になる。
【００３０】
出力端子１２Ａの延伸方向における第１ナット１４の外側表面、すなわち、第１ナット１４の上面は、電池１から電流を取り出すための外部接続部材が出力端子１２Ａに取り付けられた際に、外部接続部材と当接する面である。電池１から電流を取り出すための外部接続部材とは、例えば、リード線が接続された圧着端子である。
【００３１】
図３は、リード線３０が接続された圧着端子３１、および第２ナット４０が出力端子１２Ａに取り付けられた状態を示す図である。圧着端子３１には、挿通孔３１ａが設けられており、その挿通孔３１ａを出力端子１２Ａが貫通し、圧着端子３１の下面が第１ナット１４の上面と面接触するような態様で、出力端子１２Ａに取り付けられている。この状態では、圧着端子３１は、出力端子１２Ａと接触しており、両者は電気的に接続された状態にある。
【００３２】
圧着端子３１の上部には、第２ナット４０が設けられている。すなわち、圧着端子３１の上方から、第２ナット４０が出力端子１２Ａに締結されることによって、第１ナット１４と第２ナット４０との間で圧着端子３１は固定される。これにより、圧着端子３１と出力端子１２Ａとの間が電気的に接続された状態が維持される。
【００３３】
リング部材１３および第１ナット１４の抵抗は、出力端子１２Ａの抵抗以下である。この実施形態では、リング部材１３および第１ナット１４の抵抗は、出力端子１２Ａの抵抗よりも小さい。例えば、出力端子１２Ａは、鉄で形成されており、バスバー１１、リング部材１３、および第１ナット１４は、銅により形成されている。
【００３４】
ただし、リング部材１３および第１ナット１４は、銅以外の材料、例えば、アルミニウムにより形成されていてもよいし、銅とアルミニウムとの合金により形成されていてもよい。また、出力端子１２Ａは、鉄以外の材料で形成されていてもよい。
【００３５】
電池パック１００から外部機器に電流を取り出す際の電流経路について説明する。ここでは、電池パック１００と、図示しない外部機器との間を、上述したリード線３０および圧着端子３１を介して接続するものとして説明する。
【００３６】
上述したように、この実施形態では、リング部材１３および第１ナット１４の抵抗は、出力端子１２Ａの抵抗よりも小さい。このため、本実施形態における電池パック１００では、電池１から外部機器に供給される電流の大部分は、バスバー１１から出力端子１２Ａを経て圧着端子３１に至る電流経路よりも低抵抗の電流経路、すなわち、バスバー１１、リング部材１３、および第１ナット１４に流れ、さらに、圧着端子３１およびリード線３０を経て、外部機器に供給される。
【００３７】
すなわち、電池１から外部機器に供給される電流の大部分は、バスバー１１から出力端子１２Ａを経て圧着端子３１に至る電流経路よりも低抵抗の電流経路を経て、圧着端子３１およびリード線３０に流れるので、安定的に電流を取り出すことができる。
【００３８】
また、バスバー１１とリング部材１３とは面接触しており、リング部材１３と第１ナット１４とも面接触している。さらに、上述したように、外部接続部材である圧着端子３１が出力端子１２Ａに取り付けられた状態では、圧着端子３１の下面は、第１ナット１４の上面と面接触している。
【００３９】
すなわち、バスバー１１からリング部材１３、第１ナット１４、および圧着端子３１に至る電流経路では、接触している部材間が面接触しているので、異なる部材間であっても、安定的に電流が流れる。すなわち、電池パック１００から安定的に電流を取り出すことができる。
【００４０】
ここで、出力端子１２Ａと圧着端子３１との間も当接しているが、圧着端子３１と出力端子１２Ａとの接触面積は、圧着端子３１と第１ナット１４との接触面積よりも狭い。したがって、出力端子１２Ａから圧着端子３１に至る電流経路と比べて、第１ナット１４から圧着端子３１に至る電流経路に電流が流れて外部機器に供給される方が、安定的に電流を取り出すことができる。
【００４１】
また、第１ナット１４が出力端子１２Ａに締結されることによって、第１ナット１４からリング部材１３の方向に押圧力が加わる。リング部材１３は、第１ナット１４とバスバー１１との間に挟まれているため、第１ナット１４からリング部材１３の方向に押圧力が加わることにより、第１ナット１４とリング部材１３とが密着するとともに、リング部材１３とバスバー１１とが密着する。すなわち、第１ナット１４が出力端子１２Ａに締結されることによって、バスバー１１からリング部材１３を経て第１ナット１４に至る電流経路の電気抵抗が低減されるので、より安定的に電流を取り出すことができる。
【００４２】
ここで、本実施形態におけるリング部材１３および第１ナット１４を備えていない構造の電池パック（以下では、「比較例の電池パック」と呼ぶ）から電流を取り出す際の電流経路について考察する。比較例の電池パックでは、電池の電極と電気的に接続されているバスバーから棒状の出力端子へと電流が流れ、さらに、出力端子から、圧着端子およびリード線を介して、外部機器に電流が供給される。
【００４３】
この比較例の電池パックでは、本実施形態の電池パック１００の電流経路、すなわち、バスバー１１、リング部材１３、および第１ナット１４に至る電流経路と比べて、抵抗の高い電流経路である出力端子を介して電流が流れる。また、圧着端子は、その上面および下面は出力端子と接触しておらず、中心に設けられている孔の外周部分が出力端子と接触しているため、圧着端子と出力端子との間の接触面積は狭い。
【００４４】
したがって、比較例の電池パックでは、本実施形態の電池パック１００と比べると、電流の取り出し安定性は低い。
【００４５】
本実施形態における電池パック１００は、弾性体リング２０をさらに備える。
【００４６】
図４は、弾性体リング２０の形状の一例を示す図である。図４に示す弾性体リング２０は、円形形状を有するが、リング部材１３の形状が円形に限定されることはなく、例えば方形であってもよい。
【００４７】
弾性体リング２０は、リング部材１３の外周面に密着し、かつ、バスバー１１と外装ケース１０との間に挟まれて、外装ケース１０によって上から押さえつけられた状態で設けられている。この弾性体リング２０は、例えばゴム、シリコン、またはスポンジで形成されており、電池パック１００の内部、すなわち、外装ケース１０の内部への水や塵等の侵入を防ぐための防水・防塵リングである。
【００４８】
この実施形態では、リング部材１３は、内側上端に面取り部１３ａを有するとともに、内側下端に面取り部１３ｂを有する。すなわち、リング部材１３の内側上端の角部および内側下端の角部は、面取りされている。これは、以下の理由による。
【００４９】
すなわち、電池パック１００の製造工程において、バスバー１１の孔に棒状の出力端子１２Ａを圧入した際に、バスバー１１の孔の周辺、より具体的には、孔の上端部周辺が盛り上がる場合がある。このため、リング部材１３を出力端子１２Ａに取り付ける際、バスバー１１の孔の上端部周辺の盛り上がった部分と、リング部材１３との干渉を抑制するため、リング部材１３の内側端部が面取りされている。これにより、バスバー１１の上面とリング部材１３の下面とを密接に面接触させることができる。
【００５０】
上述したように、この実施形態における電池パック１００では、出力端子１２Ａに取り付けられたリング部材１３および第１ナット１４が電流経路となり、また、リング部材１３の外周面に密着させて、防塵防水のための弾性体リング２０を設けている。また、外部接続部材である圧着端子は、第１ナット１４の上面に当接させるように取り付けられる。
【００５１】
すなわち、電流経路、防塵防水構造、および外部接続部材の接続位置が出力端子１２Ａ周辺の１箇所に集約されているので、電流経路、防塵防水構造、および外部接続部材の接続位置が１箇所に集約されていない構造と比べて、構造をコンパクトにすることができ、製造コストを低くすることができる。
【００５２】
［変形例］
上述したリング部材１３と第１ナット１４は、一体的に形成されていてもよい。
【００５３】
図５は、第１の実施形態における電池パックの出力端子部分の変形例を示す図である。この変形例では、図２に示すリング部材１３および第１ナット１４の代わりに、両者の機能を果たす多機能ナット５０が設けられている。
【００５４】
多機能ナット５０は、図２に示す第１ナット１４に対応し、外装ケース１０の外側に位置するナット外側部５０ａと、図２に示すリング部材１３に対応し、外装ケース１０の外側表面よりも内側に位置するナット内側部５０ｂとを有し、一つで、リング部材１３の機能と第１のナット１４の機能を果たすように構成されている。ナット外側部５０ａの外径は、ナット内側部５０ｂの外径よりも大きい。
【００５５】
また、多機能ナット５０は、リング部材１３に面取り部１３ａ，１３ｂが設けられている理由と同様の理由により、ナット内側部５０ｂの内側下端に面取り部５０ｃを有する。
【００５６】
多機能ナット５０が出力端子１２Ａに締結された状態では、多機能ナット５０のナット内側部５０ｂの下面は、内部接続部材であるバスバー１１の上面と面接触している。
【００５７】
多機能ナット５０の抵抗は、出力端子１２Ａの抵抗以下である。ここでは、多機能ナット５０の抵抗は、出力端子１２Ａの抵抗よりも小さいものとして説明する。多機能ナット５０は、例えば銅によって形成されている。
【００５８】
ただし、多機能ナット５０は、銅以外の材料、例えば、アルミニウムにより形成されていてもよいし、銅とアルミニウムとの合金により形成されていてもよい。
【００５９】
これにより、電池１の電流を取り出す際、電流の大部分は、バスバー１１から出力端子１２Ａを経て圧着端子３１に至る電流経路よりも低抵抗の電流経路、すなわち、バスバー１１および多機能ナット５０を介して、多機能ナット５０の上面に取り付けられる圧着端子およびリード線に流れ、外部機器に供給される。
【００６０】
この変形例の構成によれば、図２に示すリング部材１３および第１ナット１４の代わりに、一つの多機能ナット５０を用いるので、安定的に電流を取り出すことができるという効果に加えて、用いる部品数を少なくすることができ、コストを低減することができる。
【００６１】
＜第２の実施形態＞
上述した第１の実施形態の変形例では、図２に示すリング部材１３および第１ナット１４の代わりに、多機能ナット５０を用いた。
【００６２】
第２の実施形態における電池パック１００Ａでは、第１の実施形態の変形例で用いられている多機能ナット５０と形状の異なるナットが用いられている。
【００６３】
図６は、第２の実施形態における電池パック１００Ａに用いられる多機能ナット６０の外観形状を示す図である。図６では、多機能ナット６０上に、リード線３０が接続された圧着端子３１および第２ナット４０が取り付けられた状態を示している。また、図７は、第２の実施形態における電池パック１００Ａの出力端子部分を拡大した断面図である。
【００６４】
多機能ナット６０は、図５に示す多機能ナット５０と同様に、図２に示す第１ナット１４に対応し、外装ケース１０の外側に位置するナット外側部６０ａと、図２に示すリング部材１３に対応し、外装ケース１０の外側表面よりも内側に位置するナット内側部６０ｂとを有する。ナット外側部６０ａの外径は、ナット内側部６０ｂの外径よりも大きい。
【００６５】
また、多機能ナット６０は、リング部材１３に面取り部１３ａ，１３ｂが設けられている理由と同様の理由により、ナット内側部６０ｂの内側下端に面取り部６０ｃを有する。
【００６６】
多機能ナット６０が出力端子１２Ａに締結された状態では、多機能ナット６０のナット内側部６０ｂの下面は、内部接続部材であるバスバー１１の上面と面接触している。
【００６７】
多機能ナット６０の抵抗は、出力端子１２Ａの抵抗以下である。ここでは、多機能ナット６０の抵抗は、出力端子１２Ａの抵抗よりも小さいものとして説明する。多機能ナット６０は、例えば銅によって形成されている。
【００６８】
ただし、多機能ナット６０は、銅以外の材料、例えば、アルミニウムにより形成されていてもよいし、銅とアルミニウムとの合金により形成されていてもよい。
【００６９】
これにより、電池１の電流を取り出す際、電流の大部分は、バスバー１１から出力端子１２Ａを経て圧着端子３１に至る電流経路よりも低抵抗の電流経路、すなわち、バスバー１１および多機能ナット６０を介して、多機能ナット６０の上面に取り付けられる圧着端子３１およびリード線３０に流れ、外部機器に供給される。
【００７０】
多機能ナット６０のナット外側部６０ａの上面、すなわち、出力端子１２Ａの延伸方向における多機能ナット６０の外側表面には、上方に突出した突起６１が複数設けられている。より具体的には、ナット外側部６０ａの上面端部における６箇所に、突起６１が設けられている。
【００７１】
電池パック１００Ａから電流を取り出す際、図６に示すように、多機能ナット６０の上面に、圧着端子３１および第２ナット４０が取り付けられるが、突起６１は、圧着端子３１が取り付けられる際の回転を抑制するための回転抑制部として機能する。
【００７２】
すなわち、出力端子１２Ａに圧着端子３１および第２ナット４０を取り付ける際、第２ナット４０を回転させると、圧着端子３１も共回りするが、圧着端子３１が突起６１に当たると、圧着端子３１はそれ以上回転することができなくなる。これにより、リード線３０の引出方向が固定されるので、圧着端子３１および第２ナット４０を取り付ける際の作業性が向上する。
【００７３】
上述したように、この実施形態では、６つの突起６１によって回転抑制部が形成されているが、突起６１の数が６つに限定されることはなく、５つ以下であってもよいし、７つ以上であってもよい。
【００７４】
また、圧着端子３１の回転を抑制するための回転抑制部の構成は、突起６１のような突起形状に限定されることはなく、圧着端子３１の回転を抑制できる形状であればよい。
【００７５】
第２の実施形態における電池パック１００Ａによれば、上述した第１の実施形態およびその変形例における電池パック１００で得られる効果に加えて、圧着端子３１を出力端子１２Ａに取り付ける際の回転を抑制することができるので、リード線３０の引出方向の位置決めが容易になり、圧着端子３１を取り付ける際の作業性を向上させることができる。
【００７６】
本発明は、上述した実施形態やその変形例に限定されるものではなく、本発明の範囲内において、種々の応用、変形を加えることが可能である。
【００７７】
例えば、リング部材１３と面接触し、少なくとも一部が外装ケース１０の外側に露出した状態で棒状の出力端子１２Ａに締結された導電性の締結部材がナットに限定されることはない。
【００７８】
第１の実施形態における電池パック１００において、第１ナット１４に、第２の実施形態で説明したような、圧着端子の回転を抑制するための回転抑制部、例えば突起を設けるようにしてもよい。  
【００７９】
上述した第１の実施形態では、リング部材１３および第１ナット１４の抵抗は、出力端子１２Ａの抵抗よりも小さいものとして説明したが、出力端子１２Ａの抵抗と同じであってもよい。この場合、電池パック１００から電流を取り出す際に、電流は、バスバー１１から出力端子１２Ａを経て圧着端子３１に至る電流経路とともに、バスバー１１からリング部材１３、第１ナット１４、および圧着端子３１に至る電流経路に流れる。
【００８０】
第１の実施形態で説明したように、バスバー１１からリング部材１３、第１ナット１４、および圧着端子３１に至る電流経路では、接触している部材間が面接触しているので、異なる部材間であっても、安定的に電流が流れる。すなわち、電池パック１００から安定的に電流を取り出すことができる。ただし、上述したように、リング部材１３および第１ナット１４の抵抗が出力端子１２Ａの抵抗よりも小さい構成の方が、電池パック１００からより安定的に電流を取り出すことができるため、好ましい。
【００８１】
また、第１の実施形態の変形例において、多機能ナット５０の抵抗は、出力端子１２Ａの抵抗よりも小さいものとして説明したが、出力端子１２Ａの抵抗と同じであってもよい。この場合も、バスバー１１から多機能ナット５０を経て圧着端子３１に至る電流経路では、接触している部材間が面接触しているので、電池パック１００から安定的に電流を取り出すことができる。ただし、多機能ナット５０の抵抗が出力端子１２Ａの抵抗よりも小さい構成の方が、電池パック１００からより安定的に電流を取り出すことができるため、好ましい。
【００８２】
さらに、第２の実施形態において、多機能ナット６０の抵抗は、出力端子１２Ａの抵抗よりも小さいものとして説明したが、出力端子１２Ａの抵抗と同じであってもよい。この場合も、バスバー１１から多機能ナット６０を経て圧着端子３１に至る電流経路では、接触している部材間が面接触しているので、電池パック１００から安定的に電流を取り出すことができる。ただし、多機能ナット６０の抵抗が出力端子１２Ａの抵抗よりも小さい構成の方が、電池パック１００からより安定的に電流を取り出すことができるため、好ましい。
【符号の説明】
【００８３】
１      電池
１０    外装ケース
１１    バスバー
１１ａ  バスバーの貫通孔
１２Ａ，１２Ｂ  出力端子
１３    リング部材
１３ａ，１３ｂ  リング部材の面取り部
１４    第１ナット
２０    弾性体リング
３０    リード線
３１    圧着端子
３１ａ  挿通孔
４０    第２ナット
５０    第１の実施形態の変形例で用いられる多機能ナット
６０    第２の実施形態で用いられる多機能ナット
６１    突起
１００，１００Ａ  電池パック
【図１】
2018010798.tif 000003
【図２】
2018010798.tif 000004
【図３】
2018010798.tif 000005
【図４】
2018010798.tif 000006
【図５】
2018010798.tif 000007
【図６】
2018010798.tif 000008
【図７】
2018010798.tif 000009